(57)【要約】【課題】  ３０億年前、地球にシアノバクテリアは生きていた。地球と太陽の関係は変わっていない。本発明者が考えていた、宇宙と電子のラブの公転軌道は誤りです。宇宙の年齢と電子のラブの公転軌道の関係はどのようであるのか。クエーサーのジェット噴射のエネルギーはどれ位か。ブラックホールと中性子星の電子のラブの公転軌道はどれだけか。【解決手段】  太陽圏ができる以前の星を１世代の星とする。１世代の星で地球の元素ができたので、１世代の星の質量は太陽の約１０倍です。１世代の星の電子のラブの公転軌道は１０−１４ｍです。クエーサーの中央の電子のラブの軌道を、外側の１０−３倍として。その場でできる電気の光子のエネルギーと磁気の光子のエネルギーを計算する。磁気の光子のエネルギーは引力と成る。星の中でブラックホールと中性子星はできた。その電子のラブの公転軌道を求める。【選択図】  図３
2006081397.tif 000002
【特許請求の範囲】
【請求項１】
宇宙の膨張と電子のラブの公転軌道の関係について。
ビッグバン後の宇宙の膨張は、電子のラブの公転軌道の拡大です。
電子のラブの公転軌道が１０倍になると、宇宙の大きさも１０倍になる。
それで、電子のラブの公転軌道が１０倍になると、宇宙の大きさも１０倍になり、電子のラブのエネルギーは１／１０になり、宇宙のエネルギーも１／１０になる。
これらの事により、宇宙の膨張を電子のラブの公転軌道により知る事ができる。
【請求項２】
クエーサー・銀河の拡大と電子のラブの公転軌道の関係について。
クエーサーの中に星ができたものが銀河です。
それで、クエーサーは銀河の昔の姿ですから、これをまとめて、クエーサー・銀河と記す。
クエーサー・銀河の拡大には２つの原因がある。
１つは、電子のラブの公転軌道（陽子のラブの公転軌道も含む）の拡大です。
クエーサーの電子のラブの公転が大きくなるとクエーサーも大きくなる。
クエーサーが大きくなるという事は、その中の電子のラブの公転軌道が大きくなる事です。
電子のラブの公転軌道が１０倍拡大すると、クエーサー・銀河は１０倍拡大する。
電子のラブの公転軌道が１０倍になると、エネルギーは１／１０になるので、クエーサー・銀河は１０倍拡大し、エネルギーは１／１０になる。
１つは、星の爆発による銀河の拡大です。
銀河の中の１世代の星は星は爆発し、爆発した周囲に２世代の星を作る。
１世代の星が爆発した時、空間を広げる。これが銀河の拡大になる。
この事により、クエーサー・銀河の拡大を、電子のラブの公転軌道と、星の爆発による拡大によって知る事ができる。
【請求項３】
ビッグバン後、電子のラブの公転軌道はどれ位になったか。
本発明者が２００５年８月２７日提出した特願２００５−２７８６９４の１５番で、ビッグバンの時の光子の軌道は５．５６×１０−２１ｍです、と記した。
この軌道は、電気の光子の軌道です。それで、ビッグバン後の電子のラブの公転軌道は５．５６×１０−２１ｍです。
【請求項４】
現在、宇宙の電子のラブの公転軌道はどれ位か。
現在の宇宙の星を太陽のような星として考える。それで、現在の星の電子のラブの公転軌道は太陽と同じであり、１０−１３ｍとする。
現在の宇宙の星は２世代の星です。
【請求項５】
太陽圏の元素は１世代の星の中でできた。その星は太陽のエネルギーの何倍であるか。
１秒間にできる電気の光子のエネルギーと１秒間にできる磁気の光子のエネルギーはＡ２ですから、原子番号１００番までの元素は、太陽のエネルギーの１０倍のエネルギーの星の中でできた。１世代の星は太陽のエネルギーの１０倍です。それで、１世代の星の電子のラブの公転軌道は１０−１４ｍです。
【請求項６】
宇宙の年齢と銀河の電子のラブの公転軌道について。
銀河はビッグバンから３０億年後にできたと仮定する。この銀河の中に１世代の星があるので、３０億才の宇宙における電子のラブの公転軌道は、１０−１４ｍです。
１００億才で、太陽である２世代の星ができたので、１００億才の宇宙における電子のラブの公転軌道は１０−１３ｍです。ビッグバンの時の電子のラブの公転軌道は５．５６×１０−２１ｍです。
宇宙は電子のラブの公転軌道の拡大にあわせて、拡大（膨張）している。
【請求項７】
宇宙の年齢とクエーサーの電子のラブの公転軌道について。
１０億才の宇宙にクエーサーがある。この宇宙における電子のラブの公転は１０−１４ｍです。
クエーサーは１億才でできたとすると、１億才のクエーサーの電子のラブの公転軌道は１０−１５ｍです。１億才の宇宙における電子のラブの公転軌道は１０−１５ｍです。
クエーサーは１０００万才でできたとすると、１０００万才のクエーサーの電子のラブの公転軌道は１０−１６ｍです。１０００万才の宇宙における電子のラブの公転軌道は１０−１６ｍです。
【請求項８】
宇宙の年齢と電子のラブの公転軌道はどのようであるか。
１００億歳の電子のラブの公転軌道は１０−１３ｍです。
１０億歳の電子のラブの公転軌道は１０−１４ｍです。
１億歳の電子のラブの公転軌道は１０−１５ｍです。
１０７歳の電子のラブの公転軌道は１０−１６ｍです。
１０６歳の電子のラブの公転軌道は１０−１７ｍです。
１０５歳の電子のラブの公転軌道は１０−１８ｍです。
１０４歳の電子のラブの公転軌道は１０−１９ｍです。
１０３歳の電子のラブの公転軌道は１０−２０ｍです。
５×１０２歳の電子のラブの公転軌道は５×１０−２１ｍです。これがビッグバン後の光子の公転軌道です。
この時の宇宙の半径は、９．４６×１０１５ｍ×５×１０２歳＝４．７３×１０１８ｍです。
この時の宇宙の大きさは、走った距離×２ですから、
４．７３×１０１８ｍ×２＝９．４６×１０１８ｍです。
太陽は銀河系の外側に存在します。それで、この電子のラブの公転軌道はクエーサーの外側の電子のラブの公転軌道です。
【請求項９】
１世代の星が爆発した時、銀河はどれ位拡大したか。
「ニュートン」という雑誌の１９９９年４月号の７８ページに、（１１０億光年のかなたの直径２００万光年の領域に、１８個の小型の銀河がみつかった。それぞれの銀河はまだ１０億年程度の年齢で、若く青い星星と豊富なガスからなり、直径は２０００光年ほどしかない。）と記されています。
この事から、銀河は、１５０億年−１１０億年−１０億年＝３０億年  約３０億才でできた。
１世代の星は約３０億才でできたと考える。
この事から、４０億歳の宇宙では、銀河と銀河の間隔は銀河の大きさの何倍か。
２×１０６光年÷（２０００光年×１８個）＝５５（倍）です。
現在、アンドロメダと銀河系の間隔は銀河系の大きさの何倍か。
アンドロメダ銀河までの距離は２３０万光年で、銀河系の大きさは１０万光年ですから、約２３倍です。
この事は、銀河系は約２倍に拡大したことを示す。１世代の星が爆発して、２倍に拡大した事を示す。
【請求項１０】
宇宙の年齢とクエーサー・銀河の大きさはどのようであるか。
クエーサーの中に星ができたものが銀河です。
クエーサーの中に１世代の星ができ銀河になりました。１世代の星は太陽の１０倍のエネルギーでした。この１世代の星の中で、元素ができました。星は爆発し軌道を２倍に拡大しました。その元素が集まって太陽圏ができました。
現在、銀河系は１０万光年の大きさです。これは１世代の星が爆発し、２倍になった大きさです。
１世代の星の電子のラブの軌道は１０−１４ｍです。
１世代の星の爆発により２倍になり、更に、電子のラブの軌道は１０倍に成ったので、銀河の大きさは２０倍になりました。
１０億歳でクエーサーは１０３光年です。５０億歳で５×１０３光年です。
５０億歳で１世代の星が爆発したとします。
１００億歳では、銀河系の大きさは、５×１０３光年×２０＝１０５光年です。
宇宙の年齢とクエーサー・銀河系の大きさは次のようです。
１００億歳の宇宙において、銀河系の大きさは１０万光年です。
５０億歳の宇宙において、銀河系の大きさは５×１０３光年です。
１０億歳の宇宙において、クエーサーの大きさは１０００光年です。
１億歳の宇宙において、クエーサーの大きさは１００光年です。
１０００万歳の宇宙において、クエーサーの大きさは１０光年です。
１００万歳の宇宙において、クエーサーの大きさは１光年です。
１０万歳の宇宙において、クエーサーの大きさは１０−１光年です。
１万歳の宇宙において、クエーサーの大きさは１０−２光年です。
１０００歳の宇宙において、クエーサーの大きさは１０−３光年です。
【請求項１１】
現在宇宙はどのようになっているか。
１世代の星が爆発し、その爆発した周囲に２世代の星ができている。
１世代星の中でできた元素は爆発によって、球状に広がった。近くの元素が集まり２世代の星になった。
それで、２世代の星は爆発したフーセンの上に並んで存在している。その様子は泡のように見える。
【請求項１２】
クエーサーと銀河系と電子のラブの公転軌道の関係。
クエーサーの外側の素粒子が、現在、銀河系の外側の素粒子になっている。
地球の素粒子はクエーサーの外側の素粒子です。
クエーサーの外側の素粒子は、素粒子が集合した時、おくれて集合したものです。
クエーサーができた点から離れた所にいた素粒子です。
【請求項１３】
宇宙の大きさはどれ位か。
宇宙の大きさは、ビッグバンから光子が走った距離の２倍です。
光子が走った距離は宇宙の半径です。
【請求項１４】
銀河系の歴史について。
銀河系の歴史は、クエーサーの時代、１世代の星の時代、２世代の星の時代となっています。
銀河系の歴史を、宇宙の年齢と、電子のラブの公転軌道と、クエーサー・銀河系の大きさについて記す。
2006081397.tif 000014
【請求項１５】
ニュートリノのエネルギーについて。
ニュートリノはラブの公転軌道＋ラブの自転軌道  です。
ニュートリノのエネルギーはラブの公転軌道のエネルギー＋ラブの自転軌道のエネルギーです。
ラブの公転軌道のエネルギーはラブが公転してできる電気の光子のエネルギーの１０８倍のエネルギーです
電子のラブの公転軌道のエネルギーは電子のラブが公転してできる電気の光子のエネルギーの１０８倍のエネルギーです。
ラブの自転軌道のエネルギーはラブが１公転するとき１０８回自転してできる磁気の光子１０８個のエネルギーの１０８倍のエネルギーです。
電子のラブの自転軌道のエネルギーは電子のラブが１公転するとき１０８回自転してできる磁気の光子１０８個のエネルギーの１０８倍のエネルギーです。
電子のニュートリノのエネルギー＝電子のラブの公転軌道のエネルギー＋電子のラブの自転軌道のエネルギー＝電気の光子１０８個のエネルギー＋磁気の光子１０１６個のエネルギーこの事は、電子のラブは１秒間に１０１６回も公転するので、電子のラブが公転する軌道にはいつも１０８回分の電気の光子が残っていると考える。それに付随する磁気の光子も残っていると考える。
クーロンの法則で、導線において、電気の比例定数÷磁気の比例定数＝光速度２です。
それで、導線を走る電子のラブによってできる電気の光子のエネルギーは磁気の光子のエネルギーの３×１０８倍です。
電流は電子のラブが走った後にできるものです。
電流は電子のラブが走った軌道の跡にできる電気の光子のエネルギーです。
電子のラブが走った軌道にできる電気の光子のエネルギーです。
この事によって、電子のラブが走った軌道にできる電気の光子のエネルギーは３×１０８倍のエネルギーである事が理解できます。
Ａ  地球で作る電子のニュートリノのエネルギーはどれ位か。
地球では、
電子のラブの公転軌道のエネルギーは、電子のラブの公転軌道が１．２５×１０−１０ｍで、１公転でできる電気の光子１個のエネルギーは８×１０−３０Ｊですから、
８×１０−３０Ｊ×１０８＝８×１０−２２Ｊです。
電子のラブの自転軌道のエネルギーは、電子のラブの自転軌道が１．２５×１０−１８ｍで、１自転でできる磁気の光子１個のエネルギーは８×１０−３８Ｊで、１公転で１０８回自転しますから、
８×１０−３８Ｊ×１０８回×１０８＝８×１０−２２Ｊです。
それで、
電子のニュートリノのエネルギー＝電子のラブの公転軌道のエネルギー＋電子のラブの自転軌道のエネルギー＝電気の光子１０８個のエネルギー＋磁気の光子１０１６個のエネルギー＝８×１０−２２Ｊ＋８×１０−２２Ｊ＝１．６×１０−２１Ｊです。
Ｂ太陽でできる電子のニュートリノのエネルギーはどれ位か。
太陽でできる、
電子のラブの公転軌道のエネルギーは、電子のラブの公転軌道が１．２５×１０−１３ｍで、１公転でできる電気の光子１個のエネルギーは８×１０−２７Ｊですから、
８×１０−２７Ｊ×１０８＝８×１０−１９Ｊです。
電子のラブの自転軌道のエネルギーは、電子のラブの自転軌道が１．２５×１０−２１ｍで、１自転でできる磁気の光子１個のエネルギーは８×１０−３５Ｊで、１公転で１０８回自転しますから、
８×１０−３５Ｊ×１０８回×１０８＝８×１０−１９Ｊです。
それで、
太陽でできる電子のニュートリノのエネルギー＝電子のラブの公転軌道のエネルギー＋電子のラブの自転軌道のエネルギー＝電気の光子１０８個のエネルギー＋磁気の光子１０１６個のエネルギー＝８×１０−１９Ｊ＋８×１０−１９Ｊ＝１．６×１０−１８Ｊです。
Ｃ地球で作る中性子の電子のニュートリノのエネルギーはどれ位か。
中性子の電子のラブの公転軌道は０．９２９×１０−１４ｍです。約１０−１４ｍです。
中性子の電子のラブが１公転してできる電気の光子１個のエネルギーは、
１０−３９Ｊ・ｍ÷１０−１４ｍ＝１０−２５Ｊです。
中性子の電子のラブの公転軌道のエネルギーは、
１０−２５Ｊ×１０８＝１０−１７Ｊです。
中性子の電子のラブの自転軌道は０．９２９×１０−２２ｍです。約１０−２２ｍです。
中性子の電子のラブが１自転してできる磁気の光子１個のエネルギーは、
１０−５５Ｊ・ｍ÷１０−２２ｍ＝１０−３３Ｊです。
１公転で、１０８回自転しますから、１０８個の磁気の光子のエネルギーは、
１０−３３Ｊ×１０８＝１０−２５Ｊです。
中性子の電子のラブの自転軌道のエネルギーは、
１０−３３Ｊ×１０８×１０８＝１０−１７Ｊです。
中性子の電子のニュートリノのエネルギー＝中性子の電子のラブの公転軌道のエネルギー＋中性子の電子のラブの自転軌道のエネルギー＝電気の光子１０８個のエネルギー＋磁気の光子１０１６個のエネルギー＝１０−１７Ｊ＋１０−１７Ｊ＝２×１０−１７Ｊです。
Ｄ超新星爆発でできる中性子の電子のニュートリノのエネルギーはどれ位か。
超新星爆発は中性子の爆発です。
星のエネルギーは地球のエネルギーの１０３倍ですから、超新星爆発の中性子の電子のニュートリノのエネルギーは、
２×１０−１７Ｊ×１０３＝２×１０−１４Ｊです。
カミオカンデで観察された超新星ＳＮ１９８７Ａのニュートリノは１５万光年もの長い間走ったので、これより小さいエネルギーかもしれません。
Ａ、Ｂ、Ｃ、Ｄの陽子のニュートリノのエネルギーと公転軌道は、電子のニュートリノの２０００分の１です。
【請求項１６】
電子のラブのスピンは自転が１で、公転が１です。
陽子のラブのスピンは自転が１で、公転が１です。
【請求項１７】
クエーサーの中央から噴出しているジェット噴射は何か。どうしてできるか。そのエネルギーは銀河系の中央から噴出しているエネルギーの何倍か。
クエーサーの中央から噴出しているジェット噴射は、クエーサーの中央でできる電気の光子と磁気の光子です。
地球でできる電気の光子と磁気の光子は地磁気となって地球の北極と南極から放出します。それと同じ現象が銀河にもあります。クエーサーにもあります。地磁気は地球を守っています。銀河から出る電磁気は銀河を守っています。クエーサーから出る電磁気はクエーサーを守っています。
その電磁気は中央の原子が作る磁気の光子と電気の光子です。
その電磁気は中央の原子の電子のラブと陽子のラブが作る磁気の光子と電気の光子です。
クエーサーの中央から噴出する電気の光子と磁気の光子のエネルギーは銀河系の中央から噴出している電気の光子と磁気の光子のエネルギーの何倍か。
中央から噴出する磁気の光子と電気の光子のエネルギーは、中央の原子のエネルギーと原子の量に比例します。
クエーサーの中央の電子の公転軌道を、クエーサーの外側の電子のラブの公転軌道の１０−３倍とします。
そうしますと、クエーサーの中央の電子のラブの公転軌道は１０−１８ｍであり、これは１０５歳の宇宙と同じエネルギーです。
クエーサーの中央の電子のラブの公転軌道は１０−１８ｍです。自転軌道は１０−２６ｍです。
１個の電気のエネルギーは１０−２１Ｊです。１秒間の回転数は１．２５×１０２４回転です。
１秒間にできる電気の光子のエネルギーは１．２５×１０３Ｊです。
この電気の光子がクエーサーの中央から噴出します。
銀河系の中央の電子の公転軌道を、銀河系の外側の電子のラブの公転軌道の１０−３倍とします。
そうしますと、銀河系の中央の電子のラブの公転軌道は１０−１６ｍであり、これは１０７歳の宇宙と同じエネルギーです。
銀河系の中央の電子のラブの公転軌道は１０−１６ｍです。自転軌道は１０−２４ｍです。
１個の電気のエネルギーは１０−２３Ｊです。１秒間の回転数は１．２５×１０２２回転です。
１秒間にできる電気の光子のエネルギーは１．２５×１０−３Ｊです。
この電気の光子が銀河系の中央から噴出します。
電子の数（原子の量）については電子のラブの密度（１ｃｍ３の電子の量）で考えます。
電子の量は、電子のラブの公転軌道に反比例します。
クエーサーの中央の電子のラブの公転軌道は、クエーサーの外側の１０−３倍ですから、電子のラブの密度は１０３倍です。
銀河系の中央の電子のラブの公転軌道は、銀河系の外側の１０−３倍ですから、電子のラブの密度は１０３倍です。
そうしますと、クエーサーの中央の電子のラブの公転軌道は１０−１８ｍで、銀河系の中央の電子のラブの公転軌道は１０−１６ｍで、クエーサーの外側の電子のラブの公転軌道は１０−１５ｍで、銀河系の外側の電子のラブの公転軌道は１０−１３ｍです。
それで、クエーサーの中央の電子のラブの密度の比は１０５で、銀河系の中央の電子のラブの密度の比は１０３で、クエーサーの外側の電子のラブの密度の比は１０２で、銀河系の外側の電子のラブの密度の比は１です。
クエーサーの中央でできる電気の光子のエネルギー：クエーサーの外側でできる電気の光子のエネルギー：銀河系の中央でできる電気の光子のエネルギー：銀河系の外側でできる電気の光子のエネルギー＝クエーサーの中央の電子のラブの密度の比×クエーサーの中央で１秒間にできる電子のラブのエネルギー：クエーサーの外側の電子のラブの密度の比×クエーサーの外側で１秒間にできる電気の光子のエネルギー：銀河系の中央の電子のラブの密度の比×銀河系の中央で１秒間にできる電気の光子のエネルギー：銀河系の外側の電子のラブの密度の比×銀河系の外側で１秒間にできる電気の光子のエネルギー：＝１０５×１．２５×１０３Ｊ：１０２×１．２５×１０−３Ｊ：１０３×１．２５×１０−１：１×１．２５×１０−７Ｊ＝１０８Ｊ：１０−１Ｊ：１０２Ｊ：１０−７Ｊ＝１０１５：１０６：１０９：１
よって、クエーサーの中央で１秒間にできる電気の光子のエネルギー：銀河系の中央で１秒間にできる電気の光子のエネルギー＝１０６：１です。
噴出する磁気の光子のエネルギーは電気の光子と同じエネルギーです。
クエーサーの中央から噴出する電気の光子と磁気の光子のエネルギーは銀河系の中央から噴出している電気の光子と磁気の光子のエネルギーの１０６倍です。
但し、これはクエーサーの中央と銀河系の中央の電子のラブの公転軌道を、外側の１０−３倍とした場合です。
もし、クエーサーの中央の電子のラブの公転軌道が外側の電子のラブの公転軌道の１０−５倍でしたら、電子のラブの公転軌道は１０−２０です。これは宇宙の年齢が１０３歳のエネルギーと同じです。
クエーサーの中央の電子のラブの公転軌道は１０−２０ｍです。自転軌道は１０−２８ｍです。
１個の電気のエネルギーは１０−１９Ｊです。１秒間の回転数は１．２５×１０２６回転です。
１秒間にできる電気の光子のエネルギーは１．２５×１０７Ｊです。
この電気の光子がクエーサーの中央から噴出します。
そうしますと、電子の密度の比は、クエーサーの中央の電子のラブの密度は１０７で、銀河系の中央の電子のラブの密度は１０３で、クエーサーの外側の電子のラブの密度は１０２で、銀河系の外側の電子のラブの密度は１です。
クエーサーの中央でできる電気の光子のエネルギー：クエーサーの外側でできる電気の光子のエネルギー：銀河系の中央でできる電気の光子のエネルギー：銀河系の外側でできる電気の光子のエネルギー＝クエーサーの中央の電子のラブの密度比×クエーサーの中央で１秒間にできる電子のラブのエネルギー：クエーサーの外側の電子のラブの密度比×クエーサーの外側で１秒間にできる電気の光子のエネルギー：銀河系の中央の電子のラブの密度比×銀河系の中央で１秒間にできる電気の光子のエネルギー：銀河系の外側の電子のラブの密度比×銀河系の外側で１秒間にできる電気の光子のエネルギー＝１０７×１．２５×１０７Ｊ：１０２×１．２５×１０−３Ｊ：１０３×１．２５×１０−１：１×１．２５×１０−７Ｊ＝１０１４Ｊ：１０−１Ｊ：１０２Ｊ：１０−７Ｊ＝１０２１：１０６：１０９：１
クエーサーの中央でできる電気の光子のエネルギー：銀河系の中央でできる電気の光子のエネルギー＝１０２１：１０９＝１０１２：１です。
【請求項１８】
ブラックホールとは何か。ブラックホールの引力はなぜ大きいのか。ブラックホールからどうしてジェット噴出が起きるのか。ブラックホールの密度はどれ位か。ブラックホールとは公転軌道の小さな電子のラブが存在する場です。
ブラックホールの電子のラブの公転はとっても小さいです。
請求項１６番では、クエーサーの中央の電子のラブの公転軌道は１０−１８ｍです。銀河系の中央の電子のラブの公転軌道は１０−１６ｍです。これがブラックホールの電子のラブの公転軌道です。
もし、クエーサーの中央の電子のラブの公転軌道が外側の電子のラブの電子のラブの公転軌道の１０−５倍でしたら、電子のラブの公転軌道は１０−２０ｍです。
ブラックホールの引力はなぜ大きいのか。
電子のラブの公転が小さいので、電子のラブの自転も小さく、自転でできる磁気の光子の軌道も小さいので、磁気の光子のエネルギーは大きいです。磁気の光子のエネルギーが大きいので、引力は大きい。
又、電子のラブの１秒間の自転数も多いので、１秒間にできる磁気の光子の数も多い。
それで、１秒間にできる磁気の光子のエネルギーは大きく、引力も大きい。
クエーサーの中央の電子のラブの公転軌道は１０−１８ｍです。１個の電子のラブの自転により１秒間にできる磁気の光子のエネルギーは、１．２５×１０３Ｊです。
クエーサーの中央でできる磁気の光子のエネルギーはクエーサーの中央でできる電気の光子のエネルギーと同じです。
クエーサーの中央でできる磁気の光子のエネルギー：クエーサーの外側でできる磁気の光子のエネルギー：銀河系の中央でできる磁気の光子のエネルギー：銀河系の外側でできる磁気の光子のエネルギー＝クエーサーの中央でできる引力：クエーサーの外側でできる引力：銀河系の中央でできる引力：銀河系の外側でできる引力＝１０８Ｊ：１０−１Ｊ：１０２Ｊ：１０−７Ｊ＝１０１５：１０６：１０９：１
クエーサーの中央でできる磁気の光子のエネルギーは、クエーサーの中央でできる引力であり、これはブラックホールの引力です。
銀河系の中央もブラックホールであるとしますと、クエーサーの中央のブラックホールの引力は銀河系の中央のブラックホールの引力の１０６倍です。
もし、クエーサーの中央の電子のラブの公転軌道が外側の電子のラブの公転軌道の１０−５倍でしたら、
クエーサーの中央でできる磁気の光子のエネルギー：銀河系の中央でできる磁気の光子のエネルギー＝１０１２：１です。引力は１０１２：１です。
ブラックホールからどうしてジェット噴出が起きるのか。
ブラックホールは電子のラブの公転軌道が約１０−１８ｍの場です。それで、１つの電子のラブの自転と公転によって磁気の光子と電気の光子が各々１秒間に約１．２５×１０３Ｊできます。この磁気の光子と電気の光子がジェット噴出します。
もし、ブラックホールは電子のラブの公転軌道が約１０−２０ｍの場であるとしますと、１つの電子のラブの自転と公転によって磁気の光子と電気の光子が各々１秒間に約１．２５×１０７Ｊできます。この磁気の光子と電気の光子がジェット噴出します。
そして、この磁気の光子と電気の光子がクエーサーを守っています。
ブラックホールの密度はどれ位か。
ブラックホールは電子のラブの公転軌道が約１０−１８ｍの場であるとしますと、
１ｃｍの中に電子のラブは、１ｃｍ÷１０−１８ｍ＝１０−２ｍ÷１０−１８ｍ＝１０１６個入っている。
１ｃｍ３の中に、（１０１６）３個＝１０４８個入っています。
１原子の質量は１．６６×１０−２４ｇですから、１ｃｍ３の質量は、
１．６６×１０−２４ｇ×１０４８個＝１．６６×１０２４ｇです。
それで、ブラックホールの密度は、１．６６×１０２４です。
もし、ブラックホールは電子のラブの公転軌道が約１０−２０ｍの場であるとしますと、
１ｃｍの中に電子のラブは、１ｃｍ÷１０−２０ｍ＝１０−２ｍ÷１０−２０ｍ＝１０１８個入っている。
１ｃｍ３の中に、（１０１８）３個＝１０５４個入っています。
１原子の質量は１．６６×１０−２４ｇですから、１ｃｍ３の質量は、
１．６６×１０−２４ｇ×１０５４個＝１．６６×１０３０ｇです。
それで、ブラックホールの密度は、１．６６×１０３０です。
【請求項１９】
パルサーの電気の光子のエネルギーと磁気の光子のエネルギーはどれ位か。中性子星の密度はどれ位か。
星の中で核融合反応が起き、中性子ができます。星が爆発した時、中央の中性子は爆発しないで残り、中性子星になります。中性子星は星の中央の中性子であると考えます。
星の中央の中性子の電子のラブの公転軌道はどれくらいか。
地球の中性子の電子のラブの公転軌道は、０．９２９×１０−１４ｍです。約１０−１４ｍです。
星の中性子の電子のラブの公転軌道は、地球の中性子の電子のラブの公転軌道の１０−３倍ですから、１０−１７ｍです。
これは、星の中で核融合してできた中性子の電子のラブの公転軌道です。
中性子星は、星の中の中性子が爆発後、残った、中央の中性子です。
それで、星の中の中性子の中央の中性子の電子のラブの公転軌道を１０−１倍と仮定しますと、１０−１８ｍです。
中性子星の中性子の電子のラブの公転軌道は１０−１８ｍです。これは宇宙年齢が１０５歳のエネルギーです。
中性子星の中央から、この電子のラブが作った電気の光子と磁気の光子が噴出します。これがパルサーです。
この１個の電子のラブが１秒間に作る電気の光子のエネルギーと磁気の光子のエネルギーは１．２５×１０３Ｊです。
パルサーの電気の光子のエネルギーと磁気の光子のエネルギーは１個の電子のラブが１秒間に作る１．２５×１０３Ｊです。
中性子星の密度はどれ位か。
１ｃｍの中の電子のラブの数は、電子のラブの公転軌道が１０−１８ｍですから、
１ｃｍ÷１０−１８ｍ＝１０−２ｍ÷１０−１８ｍ＝１０１６個です。
電子密度は１ｃｍ３の中の電子のラブの数ですから、、１０１６×３個＝１０４８個です。
１ｃｍ３の中の電子のラブの数は１０４８個ですから、原子の数は１０４８個です。
１個の原子の質量は１．６６×１０−２４ｇですから、１ｃｍ３の質量は、
１．６６×１０−２４ｇ×１０４８個＝１．６６×１０２４ｇです。
中性子星の密度は１．６６×１０２４です。
【請求項２０】
電子のラブの公転軌道と密度の関係はどのようであるか。
１ｃｍの中の電子のラブの数は、１０−２ｍ÷電子のラブの公転軌道  個です。
１ｃｍ３の中の電子のラブの数は、（１０−２ｍ÷電子のラブの公転軌道）３個です。
１ｃｍ３の質量は、１．６６×１０−２４ｇ×（１０−２ｍ÷電子のラブの公転軌道）３です。
密度は、１．６６×１０−２４×（１０−２ｍ÷電子のラブの公転軌道）３です。
電子のラブの公転軌道と密度の関係を表にする。
2006081397.tif 000015
【請求項２１】
星の中でできるブラックホールの電子のラブの公転軌道はどれ位か。ブラックホールは星の中でどのようにできたか。
ブラックホールの密度は約１０２７です。この電子のラブの公転軌道は１０−１９ｍです。
それで、ブラックホールの電子のラブの公転軌道は１０−１９ｍです。
星の中で核融合反応が行われる場の電子のラブの公転軌道は１０−１７ｍです。星の中央になるほど電子のラブの公転軌道は小さくなります。
電子のラブの公転軌道が１０−２倍となり１０−１９ｍと成った部分がブラックホールです。
もし、ブラックホールの密度が１０３０であるとしたら、ブラックホールの電子のラブの公転軌道は１０−２０ｍです。
それで、星の中で、ブラックホールとなる中央部は、核融合反応が行われる１０−１７ｍの場より、電子のラブの公転軌道が１０−３倍で、１０−２０ｍです。
星の質量が大きいほど中央は圧縮され、電子のラブの公転軌道は小さくなる。
【請求項２２】
星の中で中性子星ができる場と、ブラックホールができる場について。
星の中で核融合反応が行われる場の電子のラブの公転軌道は１０−１７ｍです。星の中央になるほど電子のラブの公転軌道は小さくなります。
電子のラブの公転軌道が１０−１８ｍの場の中性子は、爆発後、中性子星になります。
電子のラブの公転軌道が１０−１９ｍの場の中性子は、爆発後、ブラックホールになります。
星の中のエネルギーは外側のエネルギーの２乗になっています。
電子のラブの公転軌道が１０−１９ｍ中性子のエネルギーは、電子のラブの公転軌道が１０−１８ｍの中性子のエネルギーの１０倍ですから、外側のエネルギーは、１０１／２倍で、３．１６倍です。
質量は３．１６倍です。
中性子星ができる星の３．１６倍以上の質量の星はブラックホールになる。
ブラックホールの密度が１０３０の場合は、電子のラブの公転軌道は１０−２０ｍですから、１００１／２＝１０倍の質量の星の中で、ブラックホールはできた。中性子になる星の１０倍の質量の星の中で、密度が１０３０のブラックホールができます。
【請求項２３】
クエーサーのブラックホールと、星の中でできたブラックホールの違いについて。
星の中でできたブラックホールは球体です。
クエーサーのブラックホールは、電子のラブの公転軌道の小さいものが集まっている場です。
【請求項２４】
水素はどのようにできたか。
ビッグバンで、電子のラブの公転軌道は５×１０−２１ｍになりました。この１個の電子のラブが１秒間に作る磁気の光子のエネルギーは、Ａ＝２．５×１０１０ですから、
８×１０−１４Ｊ×（２．５×１０１０）２＝５×１０７Ｊです。
ビッグバンで、陽子のラブの公転軌道は５×１０−２１ｍになりました。この１個の陽子のラブが１秒間に作る磁気の光子のエネルギーは、Ａ＝２．５×１０１０ですから、
８×１０−１４Ｊ×（２．５×１０１０）２＝５×１０７Ｊです。
電子のラブの引力と陽子のラブの引力は同じです。
この大きな引力により、電子のラブと陽子のラブは引き合い、水素ができた。
水素が集まってクエーサーができた。
【発明の詳細な説明】
【技術分野】
【０００１】  本発明は宇宙の年齢において、電子と陽子はどのようであったのかに関する。太陽からやってくる電子のニュートリノに関する。地球の電子のニュートリノと中性子の電子のニュートリノに関する。超新星爆発でできる中性子の電子のニュートリノに関する。クエーサーのジェット噴射に関する。ブラックホールに関する。中性子星とパルサーに関する。水素ができた、電子の引力と陽子の引力に関する。
【背景技術】
【０００２】  本発明者は、２００５年８月２７日提出した、特願２００５−２７８６９４において、宇宙の星から光子が走った距離から、電気の光子が出発したエネルギーと磁気の光子が出発したエネルギー及び、宇宙の星の電子のラブの公転軌道と電子のラブの自転軌道と１公転でできる電気の光子１個のエネルギーと１自転でできる磁気の光子１個のエネルギーと１秒間の公転数と１秒間の自転数と１秒間にできる電気の光子のエネルギーと１秒間にできる磁気の光子のエネルギーと１秒間にできる電気の光子のエネルギー×軌道と１秒間にできる磁気の光子のエネルギー×軌道（引力の式）と、１秒間にできる電気の光子の運動量と１秒間にできる磁気の光子の運動量を記した。
２００５年９月５日提出した特願では、陽子に関して記した。
ニュートリノはラブの公転軌道＋自転軌道であると記した。
電子ニュートリノは１０ｅＶより小さい。
【発明の開示】
３０億年前シアノバクテリアは現在と同じように生きていた。地球の温度は変わっていない。この事は、太陽と地球の距離は３０億年間変わっていない事の証拠です。宇宙は３０億年間そんなに膨張していないと考える。
宇宙の膨張は電子のラブの公斬軌道の拡大である。
銀河の拡大は電子のラブの公転軌道の拡大と星の爆発による拡大である。
ビッグバン後、電子のラブの公転軌道はどのように変化したのか。
【発明が解決しようとする課題】
【０００３】１．宇宙の膨張と電子のラブの公転軌道の関係について。
２．クエーサー・銀河の拡大と電子のラブの公転軌道の関係について。
３．ビッグバン後、電子のラブの公転軌道はどれ位になったか。
４．現在、宇宙の電子のラブの公転軌道はどれ位か。
５．太陽圏の元素は１世代の星の中でできた。その星は太陽のエネルギーの何倍であるか。
６．宇宙の年齢と銀河の電子のラブの公転軌道について。
７．宇宙の年齢とクエーサーの電子のラブの公転軌道について。
８．宇宙の年齢と電子のラブの公転軌道はどのようであるか。
９．１世代の星が爆発した時、銀河はどれ位拡大したか。
１０．宇宙の年齢とクエーサー・銀河の大きさはどのようであるか。
１１．現在宇宙はどのようになっているか。
１２．クエーサーの素粒子と銀河系の素粒子の関係。
１３．宇宙の大きさはどれ位か。
１４．銀河系の歴史について。
１５．ニュートリノのエネルギーについて。
１６．電子のラブのスピンは自転が１で、公転が１です。陽子のラブのスピンは自転が１で、公転が１です。
１７．クエーサーの中央から噴出しているジェット噴射は何か。どうしてできるか。そのエネルギーは銀河系の中央から噴出しているエネルギーの何倍か。
１８．ブラックホールとは何か。ブラックホールの引力はなぜ大きいのか。ブラックホールからどうしてジェット噴出が起きるのか。ブラックホールの密度はどれ位か。
１９．パルサーの電気の光子のエネルギーと磁気の光子のエネルギーはどれ位か。中性子星の密度はどれ位か。
２０．電子のラブの公転軌道と密度の関係はどのようであるか。
２１．星の中でできるブラックホールの電子のラブの公転軌道はどれ位か。ブラックホールは星の中でどのようにできたか。
２２．星の中で中性子星ができる場と、ブラックホールができる場について。
２３．クエーサーのブラックホールと、星の中でできたブラックホールの違いについて。
２４．水素はどのようにできたか。
【発明を解決するための手段】
【０００４】３０億年前シアノバクテリアは現在と同じように生きていた。温度は変わっていない。この事は、太陽と地球の距離は３０億年間変わっていない事の証拠です。宇宙は３０億年間そんなに膨張していないと考える。
それで、本発明者は、２００５年８月２７日提出した、特願２００５−２７８６９４において、宇宙の星から光子が走った距離から、電子のラブの公転軌道を考えたが、これは間違いです。
太陽と１０光年離れた星の電子のラブの公転軌道は、太陽と同じ星なので、太陽と同じ公転軌道です。銀河系の外側の星の電子のラブの公転軌道は同じです。
宇宙の年齢と電子のラブの公転軌道の関係はどのようであるのか。
この事を次のように考える。
１．宇宙の膨張はクエーサー・銀河の拡大であり、これは電子のラブの公転軌道の拡大によると考える。
２．ビッグバン後の光子の軌道は５．５６×１０−２１ｍです。それで、ビッグバン後の電子のラブの公転軌道は５．５６×１０−２１ｍです。
３．現在の銀河系の星を太陽位の星と考える。その電子のラブの公転軌道を１０−１３ｍとする。これは銀河系の外側の電子のラブの公転軌道です。この星は２世代の星です。
４．クエーサーに星ができ、銀河となる。現在の星は２世代の星であり、現在の元素は１世代の星の中でできたと考える。
５．原子番号が１００までの元素は、太陽の質量の１０倍の星の中でできたと考える。この星が１世代の星です。
６．１世代の星の電子のラブの公転軌道は１０−１４ｍです。１世代の星の電子のラブの公転軌道は１０−１３ｍです。
７．３０億歳で１世代の星ができました。１００億歳で２世代の星ができました。
それで、１００億歳の宇宙の電子のラブの公転軌道は１０−１３ｍです。１０億歳の宇宙の電子のラブの公転軌道は１０−１４ｍです。１億歳の宇宙の電子のラブの公転軌道は１０−１５ｍです。
８．銀河の拡大は、１つは電子のラブの公転軌道が拡大するためです。１つは１世代の星が爆発するためです。
９．銀河系は１世代の星から２世代の星になるとき、電子のラブの公転軌道が１０倍に成りました。銀河系とアンドロメダは銀河系の大きさの２３倍離れていて、４０億歳の宇宙では、銀河と銀河は銀河の大きさの５５倍離れているので、銀河の大きさは１世代の星の爆発により約２倍になった。
１０．ニュートリノはラブの公転軌道にラブの自転軌道が付随したものです。クーロンの法則で、導線を走る電子のラブによってできる電気の光子のエネルギーは磁気の光子のエネルギーの３×１０８倍です。この事によって、電子のラブの公転軌道の道は電気の光子１個のエネルギーの３×１０８倍のエネルギーになっていることが解ります。
それで、電子のラブの公転軌道には１０８個の電気の光子が存在すると考えます。
１１．クエーサーの外側の電子のラブの公転軌道は１０−１５ｍです。
クエーサーの中央の電子のラブの公転軌道を１０−３倍と仮定します。
クエーサーの中央の電子のラブの公転軌道は１０−１８ｍです。
これは宇宙の１０５歳と同じエネルギーです。
銀河系の外側の電子のラブの公転軌道は１０−１３ｍです。銀河系の中央の電子のラブの公転軌道を１０−３倍と仮定します。銀河系の中央の電子のラブの公転軌道は１０−１６ｍで、これは宇宙の１０７歳と同じエネルギーです。
クエーサーの中央で１秒間にできる電気の光子のエネルギーはクエーサーの中央の電子のラブの数（量）×１電子のラブが１秒間に作る電気の光子のエネルギー  です。
クエーサーの中央の電子の数（量）は電子の密度（１ｃｍ３の電子の数）によって理解できます。電子の密度（１ｃｍ３の電子の数）は電子のラブの公転軌道の大きさに反比例します。
それで、クエーサーの中央の電子の密度：クエーサーの外側の電子の密度：銀河系の中央の電子の密度：銀河系の外側の電子の密度＝１÷１０−１８：１÷１０−１５：１÷１０−１６：１÷１０−１３＝１０１８：１０１５：１０１６：１０１３＝１０５：１０２：１０３：１
よって、
クエーサーの中央の電子のラブの数（量）×１電子のラブが１秒間に作る電気の光子のエネルギー：クエーサーの外側の電子のラブの数（量）×１電子のラブが１秒間に作る電気の光子のエネルギー：銀河系の中央の電子のラブの数（量）×１電子のラブが１秒間に作る電気の光子のエネルギー：銀河系の外側の電子のラブの数（量）×１電子のラブが１秒間に作る電気の光子のエネルギー＝１０５×１．２５×１０３Ｊ：１０２×１．２５×１０−３Ｊ：１０３×１．２５×１０−１Ｊ：１×１．２５×１０−７Ｊ＝１０８：１０−１：１０２：１０−７＝１０１５：１０６：１０９：１です。
できる磁気の光子のエネルギーと電気の光子のエネルギーは同じです。
この磁気の光子と電気の光子がクエーサーの中央から噴出します。
クエーサーの中央から噴出する磁気の光子と電気の光子は、銀河系の中央から噴出する磁気の光子と電気の光子の１０１５−９＝１０６倍です。
１２．ブラックホールは電子のラブの公転軌道が小さな場です。クエーサーの中央のブラックホールは電子のラブの公転軌道は１０−１８ｍです。銀河系の中央のブラックホールは電子のラブの公転軌道は１０−１６ｍです。（中央の電子のラブの公転軌道を１０−３倍とする場合。）ブラックホールの引力が大きいのは、放出する磁気の光子のエネルギーが大きいからです。ブラックホールから高エネルギーの電気の光子と磁気の光子が噴出するのは、ブラックホールの電子のラブの公転軌道が小さいので、できる電気の光子のエネルギーは大きい。ブラックホールの電子のラブの自転軌道が小さいので、できる磁気の光子のエネルギーは大きい。
１３．中性子星のパルサーは中性子星から噴出する電気の光子と磁気の光子です。中性子星の中性子は中央の中性子であり、中性子の電子のラブの公転軌道は１０−２倍であると仮定する。星の中性子の電子のラブの公転軌道は、地球の中性子の１０−３倍ですから、１０−１７ｍです。星の中央の電子のラブの公転軌道は１０−１７ｍです。この電子のラブの回転によってできる電気の光子と磁気の光子がパルサーとして噴出している。
１４．電子のラブの公転軌道によって、その場の密度が理解できる。１ｃｍ３の中に、（１ｃｍ÷電子のラブの公転軌道）３個の電子が存在する。１原子は１．６６×１０−２４ｇですから、１ｃｍ３の質量は、（１ｃｍ÷電子のラブの公転軌道）３個×１．６６×１０−２４ｇです。
密度は、（１ｃｍ÷電子のラブの公転軌道）３個×１．６６×１０−２４です。
１５．ビッグバン後、電子のラブと陽子のラブの公転軌道は５×１０−２１ｍになった。この電子のラブと陽子のラブが作る磁気の光子の引力によって、陽子のラブと電子のラブは引かれ、水素になった。
【発明の実施態様】
【０００５】１．宇宙の膨張と電子のラブの公転軌道の関係について。
ビッグバン後の宇宙の膨張は、電子のラブの公転軌道の拡大です。
電子のラブの公転軌道が１０倍になると、宇宙の大きさも１０倍になる。
それで、電子のラブの公転軌道が１０倍になると、宇宙の大きさも１０倍になり、電子のラブのエネルギーは１／１０になり、宇宙のエネルギーも１／１０になる。
これらの事により、宇宙の膨張を電子のラブの公転軌道により知る事ができる。
２．クエーサー・銀河の拡大と電子のラブの公転軌道の関係について。
クエーサーの中に星ができたものが銀河です。
それで、クエーサーは銀河の昔の姿ですから、これをまとめて、クエーサー・銀河と記す。
クエーサー・銀河の拡大には２つの原因がある。
１つは、電子のラブの公転軌道（陽子のラブの公転軌道も含む）の拡大です。
クエーサーの電子のラブの公転が大きくなるとクエーサーも大きくなる。
クエーサーが大きくなるという事は、その中の電子のラブの公転軌道が大きくなる事です。
電子のラブの公転軌道が１０倍拡大すると、クエーサー・銀河は１０倍拡大する。
電子のラブの公転軌道が１０倍になると、エネルギーは１／１０になるので、クエーサー・銀河は１０倍拡大し、エネルギーは１／１０になる。
１つは、星の爆発による銀河の拡大です。
銀河の中の１世代の星は爆発し、爆発した周囲に２世代の星を作る。
１世代の星が爆発した時、空間を広げる。これが銀河の拡大になる。
この事により、銀河の拡大を、電子のラブの公転軌道と、星の爆発による拡大によって知る事ができる。
３．ビッグバン後、電子のラブの公転軌道はどれ位になったか。
本発明者が２００５年８月２７日提出した特願２００５−２７８６９４の１５番で、ビッグバンの時の光子の軌道は５．５６×１０−２１ｍです、と記した。
この軌道は、電気の光子の軌道です。それで、ビッグバン後の電子のラブの公転軌道は５．５６×１０−２１ｍです。
４．現在、宇宙の電子のラブの公転軌道はどれ位か。
現在の宇宙の星を太陽のような星として考える。それで、現在の星の電子のラブの公転軌道は太陽と同じであり、１０−１３ｍとする。
現在の宇宙の星は２世代の星です。
５．太陽圏の元素は１世代の星の中でできた。その星は太陽のエネルギーの何倍であるか。
１秒間にできる電気の光子のエネルギーと１秒間にできる磁気の光子のエネルギーはＡ２ですから、原子番号１００番までの元素は、太陽のエネルギーの１０倍のエネルギーの星の中でできた。１世代の星は太陽のエネルギーの１０倍です。それで、１世代の星の電子のラブの公転軌道は１０−１４ｍです。
６．宇宙の年齢と銀河の電子のラブの公転軌道について。
銀河はビッグバンから３０億年後にできたと仮定する。この銀河の中に１世代の星があるので、３０億才の宇宙における電子のラブの公転軌道は、１０−１４ｍです。
１００億才で、太陽である２世代の星ができたので、１００億才の宇宙における電子のラブの公転軌道は１０−１３ｍです。ビッグバンの時の電子のラブの公転軌道は５．５６×１０−２１ｍです。
宇宙は電子のラブの公転軌道の拡大にあわせて、拡大（膨張）している。
７．宇宙の年齢とクエーサーの電子のラブの公転軌道について。
１０億才の宇宙にクエーサーがある。この宇宙における電子のラブの公転は１０−１４ｍです。クエーサーは１億才でできたとすると、１億才のクエーサーの電子のラブの公転軌道は１０−１５ｍです。１億才の宇宙における電子のラブの公転軌道は１０−１５ｍです。
クエーサーは１０００万才でできたとすると、１０００万才のクエーサーの電子のラブの公転軌道は１０−１６ｍです。１０００万才の宇宙における電子のラブの公転軌道は１０−１６ｍです。
８．宇宙の年齢と電子のラブの公転軌道はどのようであるか。図１．
１００億歳の電子のラブの公転軌道は１０−１３ｍです。
１０億歳の電子のラブの公転軌道は１０−１４ｍです。
１億歳の電子のラブの公転軌道は１０−１５ｍです。
１０７歳の電子のラブの公転軌道は１０−１６ｍです。
１０６歳の電子のラブの公転軌道は１０−１７ｍです。
１０５歳の電子のラブの公転軌道は１０−１８ｍです。
１０４歳の電子のラブの公転軌道は１０−１９ｍです。
１０３歳の電子のラブの公転軌道は１０−２０ｍです。
５×１０２歳の電子のラブの公転軌道は５×１０−２１ｍです。これがビッグバンの時の光子の公転軌道です。
この時の宇宙の半径は、９．４６×１０１５ｍ×５×１０２歳＝４．７３×１０１８ｍです。
この時の宇宙の大きさは、走った距離×２ですから、
４．７３×１０１８ｍ×２＝９．４６×１０１８ｍです。
太陽は銀河系の外側に存在します。それで、この電子のラブの公転軌道はクエーサーの外側の電子のラブの公転軌道です。
９．１世代の星が爆発した時、銀河はどれ位拡大したか。図２．
「ニュートン」という雑誌の１９９９年４月号の７８ページに、（１１０億光年のかなたの直径２００万光年の領域に、１８個の小型の銀河がみつかった。それぞれの銀河はまだ１０億年程度の年齢で、若く青い星星と豊富なガスからなり、直径は２０００光年ほどしかない。）と記されています。
この事から、銀河は、１５０億年−１１０億年−１０億年＝３０億年  約３０億才でできた。
１世代の星は約３０億才でできたと考える。
この事から、４０億歳の宇宙では、銀河と銀河の間隔は銀河の大きさの何倍か。
２×１０６光年÷（２０００光年×１８個）＝５５（倍）です。
現在、アンドロメダと銀河系の間隔は銀河系の大きさの何倍か。
アンドロメダ銀河までの距離は２３０万光年で、銀河系の大きさは１０万光年ですから、約２３倍です。
この事は、銀河系は約２倍に拡大したことを示す。１世代の星が爆発して、２倍に拡大した事を示す。
１０．宇宙の年齢とクエーサー・銀河の大きさはどのようであるか。図２．
クエーサーの中に星ができたものが銀河です。
クエーサーの中に１世代の星ができ、銀河になりました。１世代の星は太陽の１０倍のエネルギーでした。この１世代の星の中で、元素ができました。星は爆発し軌道を２倍に拡大しました。その元素が集まって太陽圏ができました。
現在、銀河系は１０万光年の大きさです。これは１世代の星が爆発し、２倍になった大きさです。
１世代の星の電子のラブの軌道は１０−１４ｍです。
１世代の星の爆発により２倍になり、更に、電子のラブの軌道は１０倍に成ったので、銀河の大きさは２０倍になりました。
１０億歳でクエーサーは１０３光年です。５０億歳で５×１０３光年です。
５０億歳で１世代の星が爆発したとします。
１００億歳では、銀河系の大きさは、５×１０３光年×２０＝１０５光年です。
宇宙の年齢とクエーサー・銀河系の大きさは次のようです。
１００億歳の宇宙において、銀河系の大きさは１０万光年です。
５０億歳の宇宙において、銀河系の大きさは５×１０３光年です。
１０億歳の宇宙において、クエーサーの大きさは１０００光年です。
１億歳の宇宙において、クエーサーの大きさは１００光年です。
１０００万歳の宇宙において、クエーサーの大きさは１０光年です。
１００万歳の宇宙において、クエーサーの大きさは１光年です。
１０万歳の宇宙において、クエーサーの大きさは１０−１光年です。
１万歳の宇宙において、クエーサーの大きさは１０−２光年です。
１０００歳の宇宙において、クエーサーの大きさは１０−３光年です。
１１．現在宇宙はどのようになっているか。
１世代の星が爆発し、その爆発した周囲に２世代の星ができている。
１世代の星の中でできた元素は爆発によって、球状に広がった。近くの元素が集まり２世代の星になった。
それで、２世代の星は爆発した球の上に並んで存在している。その様子は泡のように見える。
１２．クエーサーと銀河系と電子のラブの公転軌道の関係。
クエーサーの外側の素粒子が、現在、銀河系の外側の素粒子になっている。
地球の素粒子はクエーサーの外側の素粒子です。
クエーサーの外側の素粒子は、素粒子が集合した時、おくれて集合したものです。
クエーサーができた点から離れた所にいた素粒子です。
１３．宇宙の大きさはどれ位か。
宇宙の大きさは、ビッグバンから光子が走った距離の２倍です。
光子が走った距離は宇宙の半径です。
１４．銀河系の歴史について。図２．
銀河系の歴史は、クエーサーの時代、１世代の星の時代、２世代の星の時代となっています。銀河系の歴史を、宇宙の年齢と、電子のラブの公転軌道と、クエーサー・銀河系の大きさについて記す。
2006081397.tif 000003
以上のことをまとめて表にする。
宇宙の年齢におけるクエーサー・銀河系の大きさと宇宙の半径の大きさと電子のラブの状態を示す。
2006081397.tif 000004
2006081397.tif 000005
2006081397.tif 000006
2006081397.tif 000007
宇宙における陽子のラブの状態を示す。
2006081397.tif 000008
2006081397.tif 000009
2006081397.tif 000010
2006081397.tif 000011
１５．ニュートリノのエネルギーについて。
ニュートリノはラブの公転軌道＋ラブの自転軌道  です。
ニュートリノのエネルギーはラブの公転軌道のエネルギー＋ラブの自転軌道のエネルギーです。
ラブの公転軌道のエネルギーはラブが公転してできる電気の光子のエネルギーの１０８倍のエネルギーです
電子のラブの公転軌道のエネルギーは電子のラブが公転してできる電気の光子のエネルギーの１０８倍のエネルギーです。
ラブの自転軌道のエネルギーはラブが１公転するとき１０８回自転してできる磁気の光子１０８個のエネルギーの１０８倍のエネルギーです。
電子のラブの自転軌道のエネルギーは電子のラブが１公転するとき１０８回自転してできる磁気の光子１０８個のエネルギーの１０８倍のエネルギーです。
電子のニュートリノのエネルギー＝電子のラブの公転軌道のエネルギー＋電子のラブの自転軌道のエネルギー＝電気の光子１０８個のエネルギー＋磁気の光子１０１６個のエネルギーこの事は、電子のラブは１秒間に１０１６回も公転するので、電子のラブが公転する軌道にはいつも１０８回分の電気の光子が残っていると考える。それに付随する磁気の光子も残っていると考える。
クーロンの法則で、導線において、電気の比例定数÷磁気の比例定数＝光速度２です。
それで、導線を走る電子のラブによってできる電気の光子のエネルギーは磁気の光子のエネルギーの３×１０８倍です。
電流は電子のラブが走った後にできるものです。
電流は電子のラブが走った軌道の道跡にできる電気の光子のエネルギーです。
電子のラブが走った軌道にできる電気の光子のエネルギーです。
この事によって、電子のラブが走った軌道にできる電気の光子のエネルギーは３×１０８倍のエネルギーである事が理解できます。
Ａ  地球で作る電子のニュートリノのエネルギーはどれ位か。
地球では、
電子のラブの公転軌道のエネルギーは、電子のラブの公転軌道が１．２５×１０−１０ｍで、１公転でできる電気の光子１個のエネルギーは８×１０−３０Ｊですから、
８×１０−３０Ｊ×１０８＝８×１０−２２Ｊです。
電子のラブの自転軌道のエネルギーは、電子のラブの自転軌道が１．２５×１０−１８ｍで、１自転でできる磁気の光子１個のエネルギーは８×１０−３８Ｊで、１公転で１０８回自転しますから、
８×１０−３８Ｊ×１０８回×１０８＝８×１０−２２Ｊです。
それで、
電子のニュートリノのエネルギー＝電子のラブの公転軌道のエネルギー＋電子のラブの自転軌道のエネルギー＝電気の光子１０８個のエネルギー＋磁気の光子１０１６個のエネルギー＝８×１０−２２Ｊ＋８×１０−２２Ｊ＝１．６×１０−２１Ｊです。
Ｂ  太陽でできる電子のニュートリノのエネルギーはどれ位か。
太陽でできる、
電子のラブの公転軌道のエネルギーは、電子のラブの公転軌道が１．２５×１０−１３ｍで、１公転でできる電気の光子１個のエネルギーは８×１０−２７Ｊですから、
８×１０−２７Ｊ×１０８＝８×１０−１９Ｊです。
電子のラブの自転軌道のエネルギーは、電子のラブの自転軌道が１．２５×１０−２１ｍで、１自転でできる磁気の光子１個のエネルギーは８×１０−３５Ｊで、１公転で１０８回自転しますから、
８×１０−３５Ｊ×１０８回×１０８＝８×１０−１９Ｊです。
それで、
太陽でできる電子のニュートリノのエネルギー＝電子のラブの公転軌道のエネルギー＋電子のラブの自転軌道のエネルギー＝電気の光子１０８個のエネルギー＋磁気の光子１０１６個のエネルギー＝８×１０−１９Ｊ＋８×１０−１９Ｊ＝１．６×１０−１８Ｊです。
Ｃ  地球で作る中性子の電子のニュートリノのエネルギーはどれ位か。
中性子の電子のラブの公転軌道は０．９２９×１０−１４ｍです。約１０−１４ｍです。
中性子の電子のラブが１公転してできる電気の光子１個のエネルギーは、
１０−３９Ｊ・ｍ÷１０−１４ｍ＝１０−２５Ｊです。
中性子の電子のラブの公転軌道のエネルギーは、
１０−２５Ｊ×１０８＝１０−１７Ｊです。
中性子の電子のラブの自転軌道は０．９２９×１０−２２ｍです。約１０−２２ｍです。
中性子の電子のラブが１自転してできる磁気の光子１個のエネルギーは、
１０−５５Ｊ・ｍ÷１０−２２ｍ＝１０−３３Ｊです。
１公転で、１０８回自転しますから、１０８個の磁気の光子のエネルギーは、
１０−３３Ｊ×１０８＝１０−２５Ｊです。
中性子の電子のラブの自転軌道のエネルギーは、
１０−３３Ｊ×１０８×１０８＝１０−１７Ｊです。
中性子の電子のニュートリノのエネルギー＝中性子の電子のラブの公転軌道のエネルギー＋中性子の電子のラブの自転軌道のエネルギー＝電気の光子１０８個のエネルギー＋磁気の光子１０１６個のエネルギー＝１０−１７Ｊ＋１０−１７Ｊ＝２×１０−１７Ｊです。
Ｄ  超新星爆発でできる中性子の電子のニュートリノのエネルギーはどれ位か。
超新星爆発は中性子の爆発です。
星のエネルギーは地球のエネルギーの１０３倍ですから、超新星爆発の中性子の電子のニュートリノのエネルギーは、
２×１０−１７Ｊ×１０３＝２×１０−１４Ｊです。
カミオカンデで観察された超新星ＳＮ１９８７Ａのニュートリノは１５万光年もの長い間走ったので、これより小さいエネルギーかもしれません。
Ａ、Ｂ、Ｃ、Ｄの陽子のニュートリノのエネルギーと公転軌道は、電子のニュートリノの２０００分の１です。
これらの事を表にする。
2006081397.tif 000012
１６．電子のラブのスピンは自転が１で、公転が１です。陽子のラブのスピンは自転が１で、公転が１です。
１７．クエーサーの中央から噴出しているジェット噴射は何か。どうしてできるか。そのエネルギーは銀河系の中央から噴出しているエネルギーの何倍か。図３．
クエーサーの中央から噴出しているジェット噴射は、クエーサーの中央でできる電気の光子と磁気の光子です。
地球でできる電気の光子と磁気の光子は地磁気となって地球の北極と南極から放出します。それと同じ現象が銀河にもあります。クエーサーにもあります。地磁気は地球を守っています。銀河から出る電磁気は銀河を守っています。クエーサーから出る電磁気はクエーサーを守っています。
その電磁気は中央の原子が作る磁気の光子と電気の光子です。
その電磁気は中央の原子の電子のラブと陽子のラブが作る磁気の光子と電気の光子です。
クエーサーの中央から噴出する電気の光子と磁気の光子のエネルギーは銀河系の中央から噴出している電気の光子と磁気の光子のエネルギーの何倍か。
中央から噴出する磁気の光子と電気の光子のエネルギーは、中央の原子のエネルギーと原子の量に比例します。
クエーサーの中央の電子の公転軌道を、クエーサーの外側の電子のラブの公転軌道の１０−３倍とします。
そうしますと、クエーサーの中央の電子のラブの公転軌道は１０−１８ｍであり、これは１０５歳の宇宙と同じエネルギーです。
クエーサーの中央の電子のラブの公転軌道は１０−１８ｍです。自転軌道は１０−２６ｍです。
１個の電気のエネルギーは１０−２１Ｊです。１秒間の回転数は１．２５×１０２４回転です。
１秒間にできる電気の光子のエネルギーは１．２５×１０３Ｊです。
この電気の光子がクエーサーの中央から噴出します。
銀河系の中央の電子の公転軌道を、銀河系の外側の電子のラブの公転軌道の１０−３倍とします。
そうしますと、銀河系の中央の電子のラブの公転軌道は１０−１６ｍであり、これは１０７歳の宇宙と同じエネルギーです。
銀河系の中央の電子のラブの公転軌道は１０−１６ｍです。自転軌道は１０−２４ｍです。
１個の電気のエネルギーは１０−２３Ｊです。１秒間の回転数は１．２５×１０２２回転です。
１秒間にできる電気の光子のエネルギーは１．２５×１０−３Ｊです。
この電気の光子が銀河系の中央から噴出します。
電子の数（原子の量）については電子のラブの密度（１ｃｍ３の電子の量）で考えます。
電子の量は、電子のラブの公転軌道に反比例します。
クエーサーの中央の電子のラブの公転軌道は、クエーサーの外側の１０−３倍ですから、電子のラブの密度は１０３倍です。
銀河系の中央の電子のラブの公転軌道は、銀河系の外側の１０−３倍ですから、電子のラブの密度は１０３倍です。
そうしますと、クエーサーの中央の電子のラブの公転軌道は１０−１８ｍで、銀河系の中央の電子のラブの公転軌道は１０−１６ｍで、クエーサーの外側の電子のラブの公転軌道は１０−１５ｍで、銀河系の外側の電子のラブの公転軌道は１０−１３ｍです。
それで、クエーサーの中央の電子のラブの密度の比は１０５で、銀河系の中央の電子のラブの密度の比は１０３で、クエーサーの外側の電子のラブの密度の比は１０２で、銀河系の外側の電子のラブの密度の比は１です。
クエーサーの中央でできる電気の光子のエネルギー：クエーサーの外側でできる電気の光子のエネルギー：銀河系の中央でできる電気の光子のエネルギー：銀河系の外側でできる電気の光子のエネルギー＝クエーサーの中央の電子のラブの密度の比×クエーサーの中央で１秒間にできる電子のラブのエネルギー：クエーサーの外側の電子のラブの密度の比×クエーサーの外側で１秒間にできる電気の光子のエネルギー：銀河系の中央の電子のラブの密度の比×銀河系の中央で１秒間にできる電気の光子のエネルギー：銀河系の外側の電子のラブの密度の比×銀河系の外側で１秒間にできる電気の光子のエネルギー：＝１０５×１．２５×１０３Ｊ：１０２×１．２５×１０−３Ｊ：１０３×１．２５×１０−１：１×１．２５×１０−７Ｊ＝１０８Ｊ：１０−１Ｊ：１０２Ｊ：１０−７Ｊ＝１０１５：１０６：１０９：１
よって、クエーサーの中央で１秒間にできる電気の光子のエネルギー：銀河系の中央で１秒間にできる電気の光子のエネルギー＝１０６：１です。
噴出する磁気の光子のエネルギーは電気の光子と同じエネルギーです。
クエーサーの中央から噴出する電気の光子と磁気の光子のエネルギーは銀河系の中央から噴出している電気の光子と磁気の光子のエネルギーの１０６倍です。
但し、これはクエーサーの中央と銀河系の中央の電子のラブの公転軌道を、外側の１０−３倍とした場合です。
もし、クエーサーの中央の電子のラブの公転軌道が外側の電子のラブの公転軌道の１０−５倍でしたら、電子のラブの公転軌道は１０−２０です。これは宇宙の年齢が１０３歳のエネルギーと同じです。
クエーサーの中央の電子のラブの公転軌道は１０−２０ｍです。自転軌道は１０−２８ｍです。
１個の電気のエネルギーは１０−１９Ｊです。１秒間の回転数は１．２５×１０２６回転です。
１秒間にできる電気の光子のエネルギーは１．２５×１０７Ｊです。
この電気の光子がクエーサーの中央から噴出します。
そうしますと、電子の密度の比は、クエーサーの中央の電子のラブの密度は１０７で、銀河系の中央の電子のラブの密度は１０３で、クエーサーの外側の電子のラブの密度は１０２で、銀河系の外側の電子のラブの密度は１です。
クエーサーの中央でできる電気の光子のエネルギー：クエーサーの外側でできる電気の光子のエネルギー：銀河系の中央でできる電気の光子のエネルギー：銀河系の外側でできる電気の光子のエネルギー＝クエーサーの中央の電子のラブの密度比×クエーサーの中央で１秒間にできる電子のラブのエネルギー：クエーサーの外側の電子のラブの密度比×クエーサーの外側で１秒間にできる電気の光子のエネルギー：銀河系の中央の電子のラブの密度比×銀河系の中央で１秒間にできる電気の光子のエネルギー：銀河系の外側の電子のラブの密度比×銀河系の外側で１秒間にできる電気の光子のエネルギー＝１０７×１．２５×１０７Ｊ：１０２×１．２５×１０−３Ｊ：１０３×１．２５×１０−１：１×１．２５×１０−７Ｊ＝１０１４Ｊ：１０−１Ｊ：１０２Ｊ：１０−７Ｊ＝１０２１：１０６：１０９：１
クエーサーの中央でできる電気の光子のエネルギー：銀河系の中央でできる電気の光子のエネルギー＝１０２１：１０９＝１０１２：１です。
１８．ブラックホールとは何か。ブラックホールの引力はなぜ大きいのか。ブラックホールからどうしてジェット噴出が起きるのか。ブラックホールの密度はどれ位か。図３．
ブラックホールとは公転軌道の小さな電子のラブが存在する場です。
ブラックホールの電子のラブの公転はとっても小さいです。
請求項１６番では、クエーサーの中央の電子のラブの公転軌道は１０−１８ｍです。銀河系の中央の電子のラブの公転軌道は１０−１６ｍです。これがブラックホールの電子のラブの公転軌道です。
もし、クエーサーの中央の電子のラブの公転軌道が外側の電子のラブの電子のラブの公転軌道の１０−５倍でしたら、電子のラブの公転軌道は１０−２０ｍです。
ブラックホールの引力はなぜ大きいのか。
電子のラブの公転が小さいので、電子のラブの自転も小さく、自転でできる磁気の光子の軌道も小さいので、磁気の光子のエネルギーは大きいです。磁気の光子のエネルギーが大きいので、引力は大きい。
又、電子のラブの１秒間の自転数も多いので、１秒間にできる磁気の光子の数も多い。
それで、１秒間にできる磁気の光子のエネルギーは大きく、引力も大きい。
クエーサーの中央の電子のラブの公転軌道は１０−１８ｍです。１個の電子のラブの自転により１秒間にできる磁気の光子のエネルギーは、１．２５×１０３Ｊです。
クエーサーの中央でできる磁気の光子のエネルギーはクエーサーの中央でできる電気の光子のエネルギーと同じです。
クエーサーの中央でできる磁気の光子のエネルギー：クエーサーの外側でできる磁気の光子のエネルギー：銀河系の中央でできる磁気の光子のエネルギー：銀河系の外側でできる磁気の光子のエネルギー＝クエーサーの中央でできる引力：クエーサーの外側でできる引力：銀河系の中央でできる引力：銀河系の外側でできる引力＝１０８Ｊ：１０−１Ｊ：１０２Ｊ：１０−７Ｊ＝１０１５：１０６：１０９：１
クエーサーの中央でできる磁気の光子のエネルギーは、クエーサーの中央でできる引力であり、これはブラックホールの引力です。
銀河系の中央もブラックホールであるとしますと、クエーサーの中央のブラックホールの引力は銀河系の中央のブラックホールの引力の１０６倍です。
もし、クエーサーの中央の電子のラブの公転軌道が外側の電子のラブの公転軌道の１０−５倍でしたら、
クエーサーの中央でできる磁気の光子のエネルギー：銀河系の中央でできる磁気の光子のエネルギー＝１０１２：１です。引力は１０１２：１です。
ブラックホールからどうしてジェット噴出が起きるのか。
ブラックホールは電子のラブの公転軌道が約１０−１８ｍの場です。それで、１つの電子のラブの自転と公転によって磁気の光子と電気の光子が各々１秒間に約１．２５×１０３Ｊできます。この磁気の光子と電気の光子がジェット噴出します。
もし、ブラックホールは電子のラブの公転軌道が約１０−２０ｍの場であるとしますと、１つの電子のラブの自転と公転によって磁気の光子と電気の光子が各々１秒間に約１．２５×１０７Ｊできます。この磁気の光子と電気の光子がジェット噴出します。
そして、この磁気の光子と電気の光子がクエーサーを守っています。
ブラックホールの密度はどれ位か。
ブラックホールは電子のラブの公転軌道が約１０−１８ｍの場であるとしますと、
１ｃｍの中に電子のラブは、１ｃｍ÷１０−１８ｍ＝１０−２ｍ÷１０−１８ｍ＝１０１６個入っている。
１ｃｍ３の中に、（１０１６）３個＝１０４８個入っています。
１原子の質量は１．６６×１０−２４ｇですから、１ｃｍ３の質量は、
１．６６×１０−２４ｇ×１０４８個＝１．６６×１０２４ｇです。
それで、ブラックホールの密度は、１．６６×１０２４です。
もし、ブラックホールは電子のラブの公転軌道が約１０−２０ｍの場であるとしますと、
１ｃｍの中に電子のラブは、１ｃｍ÷１０−２０ｍ＝１０−２ｍ÷１０−２０ｍ＝１０１８個入っている。
１ｃｍ３の中に、（１０１８）３個＝１０５４個入っています。
１原子の質量は１．６６×１０−２４ｇですから、１ｃｍ３の質量は、
１．６６×１０−２４ｇ×１０５４個＝１．６６×１０３０ｇです。
それで、ブラックホールの密度は、１．６６×１０３０です。
１９．パルサーの電気の光子のエネルギーと磁気の光子のエネルギーはどれ位か。中性子星の密度はどれ位か。図４．
星の中で核融合反応が起き、中性子ができます。星が爆発した時、中央の中性子は爆発しないで残り、中性子星になります。中性子星は星の中央の中性子であると考えます。
星の中央の中性子の電子のラブの公転軌道はどれくらいか。
地球の中性子の電子のラブの公転軌道は、０．９２９×１０−１４ｍです。約１０−１４ｍです。
星の中性子の電子のラブの公転軌道は、地球の中性子の電子のラブの公転軌道の１０−３倍ですから、１０−１７ｍです。
これは、星の中で核融合してできた中性子の電子のラブの公転軌道です。
中性子星は、星の中の中性子が爆発後、残った、中央の中性子です。
それで、星の中の中性子の中央の中性子の電子のラブの公転軌道を１０−１倍と仮定しますと、１０−１８ｍです。
中性子星の中性子の電子のラブの公転軌道は１０−１８ｍです。これは宇宙年齢が１０５歳のエネルギーです。
中性子星の中央から、この電子のラブが作った電気の光子と磁気の光子が噴出します。これがパルサーです。
この１個の電子のラブが１秒間に作る電気の光子のエネルギーと磁気の光子のエネルギーは１．２５×１０３Ｊです。
パルサーの電気の光子のエネルギーと磁気の光子のエネルギーは１個の電子のラブが１秒間に作る１．２５×１０３Ｊです。
中性子星の密度はどれ位か。
１ｃｍの中の電子のラブの数は、電子のラブの公転軌道が１０−１８ｍですから、
１ｃｍ÷１０−１８ｍ＝１０−２ｍ÷１０−１８ｍ＝１０１６個です。
電子密度は１ｃｍ３の中の電子のラブの数ですから、、１０１６×３個＝１０４８個です。
１ｃｍ３の中の電子のラブの数は１０４８個ですから、原子の数は１０４８個です。
１個の原子の質量は１．６６×１０−２４ｇですから、１ｃｍ３の質量は、
１．６６×１０−２４ｇ×１０４８個＝１．６６×１０２４ｇです。
中性子星の密度は１．６６×１０２４です。
２０．電子のラブの公転軌道と密度の関係はどのようであるか。
１ｃｍの中の電子のラブの数は、１０−２ｍ÷電子のラブの公転軌道  個です。
１ｃｍ３の中の電子のラブの数は、（１０−２ｍ÷電子のラブの公転軌道）３個です。
１ｃｍ３の質量は、１．６６×１０−２４ｇ×（１０−２ｍ÷電子のラブの公転軌道）３です。
密度は、１．６６×１０−２４×（１０−２ｍ÷電子のラブの公転軌道）３です。
電子のラブの公転軌道と密度の関係を表にする。
2006081397.tif 000013
２１．星の中でできるブラックホールの電子のラブの公転軌道はどれ位か。ブラックホールは星の中でどのようにできたか。
ブラックホールの密度は約１０２７です。この電子のラブの公転軌道は１０−１９ｍです。
それで、ブラックホールの電子のラブの公転軌道は１０−１９ｍです。
星の中で核融合反応が行われる場の電子のラブの公転軌道は１０−１７ｍです。星の中央になるほど電子のラブの公転軌道は小さくなります。
電子のラブの公転軌道が１０−２倍となり１０−１９ｍと成った部分がブラックホールです。
もし、ブラックホールの密度が１０３０であるとしたら、ブラックホールの電子のラブの公転軌道は１０−２０ｍです。
それで、星の中で、ブラックホールとなる中央部は、核融合反応が行われる１０−１７ｍの場より、電子のラブの公転軌道が１０−３倍で、１０−２０ｍです。
星の質量が大きいほど中央は圧縮され、電子のラブの公転軌道は小さくなる。
２２．星の中で中性子星ができる場と、ブラックホールができる場について。
星の中で核融合反応が行われる場の電子のラブの公転軌道は１０−１７ｍです。星の中央になるほど電子のラブの公転軌道は小さくなります。
電子のラブの公転軌道が１０−１８ｍの場の中性子は、爆発後、中性子星になります。
電子のラブの公転軌道が１０−１９ｍの場の中性子は、爆発後、ブラックホールになります。
星の中のエネルギーは外側のエネルギーの２乗になっています。
電子のラブの公転軌道が１０−１９ｍ中性子のエネルギーは、電子のラブの公転軌道が１０−１８ｍの中性子のエネルギーの１０倍ですから、外側のエネルギーは、１０１／２倍で、３．１６倍です。
質量は３．１６倍です。
中性子星ができる星の３．１６倍以上の質量の星はブラックホールになる。
ブラックホールの密度が１０３０の場合は、電子のラブの公転軌道は１０−２０ｍですから、１００１／２＝１０倍の質量の星の中で、ブラックホールはできた。中性子になる星の１０倍の質量の星の中で、密度が１０３０のブラックホールができます。
２３．クエーサーのブラックホールと、星の中でできたブラックホールの違いについて。星の中でできたブラックホールは球体です。
クエーサーのブラックホールは、電子のラブの公転軌道の小さいものが集まっている場です。
２４．水素はどのようにできたか。図５．
ビッグバンで、電子のラブの公転軌道は５×１０−２１ｍになりました。この１個の電子のラブが１秒間に作る磁気の光子のエネルギーは、Ａ＝２．５×１０１０ですから、
８×１０−１４Ｊ×（２．５×１０１０）２＝５×１０７Ｊです。
ビッグバンで、陽子のラブの公転軌道は５×１０−２１ｍになりました。この１個の陽子のラブが１秒間に作る磁気の光子のエネルギーは、Ａ＝２．５×１０１０ですから、
８×１０−１４Ｊ×（２．５×１０１０）２＝５×１０７Ｊです。
電子のラブの引力と陽子のラブの引力は同じです。
この大きな引力により、電子のラブと陽子のラブは引き合い、水素ができた。
水素が集まってクエーサーができた。
【発明の効果】
【０００６】１．宇宙の年齢と電子のラブの公転軌道の関係を理解できた。
２．宇宙の年齢とクエーサー・銀河の大きさを理解できた。
３．銀河系の歴史を理解できた。
４．地球で作る電子のニュートリノ、地球で作る中性子の電子のニュートリノ、太陽でできる電子のニュートリノ、超新星爆発の時できる中性子の電子のニュートリノ、についてそれぞれの軌道とエネルギーについて理解できた。
５．クエーサーの中央にあるブラックホールからどうして電磁気がジェット噴射するのか理解できた。
６．ブラックホールの引力がどのようにできるのか理解できた。
７．パルサーの電気の光子と磁気の光子のエネルギーが理解できた。
８．電子のラブの公転軌道から、その場の密度が理解できた。
９．星の中で、中性子星ができた電子のラブの公転軌道とブラックホールができた電子のラブの公転軌道が理解できた。
１０．クエーサーのブラックホールと星の中でできたブラックホールの区別ができた。
１１．ビッグバンで爆発した電子と陽子が、どのような引力で引き合い、水素に成ったか理解できた。
【図面の簡単な説明】
【０００７】
【図１】宇宙の年齢と電子のラブの公転軌道と、電子のラブが１秒間に作る電気の光子のエネルギーと磁気の光子のエネルギーと電子密度の比を示す。
【図２】宇宙の年齢とクエーサー・銀河系の大きさをを示す。
【図３】▲１▼クエーサーの中央の電子のラブの公転軌道が、外側の電子のラブの公転軌道の１０−３倍で、銀河系の中央の電子のラブの公転軌道が、外側の電子のラブの公転軌道の１０−３倍である場合。  クエーサーの中央でできる磁気の光子のエネルギーと電気の光子のエネルギー：銀河系の中央でできる磁気の光子のエネルギーと電気の光子のエネルギー：クエーサーの外側でできる磁気の光子のエネルギーと電気の光子のエネルギー：銀河系の外側でできる磁気の光子のエネルギーと電気の光子のエネルギーは、＝１０１５：１０９：１０６：１  です。  クエーサーの中央でできる磁気の光子のエネルギーと電気の光子のエネルギー：銀河系の中央でできる磁気の光子のエネルギーと電気の光子のエネルギー＝１０６：１  この比はブラックホールの引力の比であり、噴出する電気の光子と磁気の光子のエネルギーの比です。  ▲２▼もし、クエーサーの中央の電子のラブの公転軌道が、外側の電子のラブの公転軌道の１０５倍で、銀河系の中央の電子のラブの公転軌道が、外側の電子のラブの公転軌道の１０−３倍である場合。  クエーサーの中央の電子密度：銀河系の中央の電子密度：クエーサーの外側の電子密度：銀河系の外側の電子密度＝１０７：１０３：１０２：１  です。  クエーサーの中央で、１電子のラブが１秒間に作る磁気の光子のエネルギーと電気の光子のエネルギーは１．２５×１０７Ｊです。銀河系の中央では１．２５×１０−１Ｊです。クエーサーの外側では、１．２５×１０−３Ｊです。銀河系の外側では１．２５×１０−７Ｊです。  クエーサーの中央でできる磁気の光子のエネルギーと電気の光子のエネルギー：銀河系の中央でできる磁気の光子のエネルギーと電気の光子のエネルギー：クエーサーの外側でできる磁気の光子のエネルギーと電気の光子のエネルギー：銀河系の外側でできる磁気の光子のエネルギーと電気の光子のエネルギーは、＝１０２１：１０９：１０６：１  です。  クエーサーの中央でできる磁気の光子のエネルギーと電気の光子のエネルギー：銀河系の中央でできる磁気の光子のエネルギーと電気の光子のエネルギー＝１０１２：１  この比はブラックホールの引力の比であり、噴出する電気の光子と磁気の光子のエネルギーの比です。
【図４】星の中性子の電子のラブの公転軌道は地球の中性子の１０−３倍です。１０−１７ｍです。中性子星は星の中性子の中央の中性子です。この電子のラブの軌道を１０−１８ｍと仮定します。そうしますと、中性子星の１個の電子のラブが１秒間に作る磁気の光子のエネルギーと電気の光子のエネルギーは１．２５×１０３Ｊです。この磁気の光子と電気の光子がパルサーとして噴出しています。
【図５】ビッグバンのとき電子のラブの公転軌道は５×１０−２１ｍで、１秒間にできる磁気の光子のエネルギーは５×１０７Ｊです。陽子のラブの公転軌道は５×１０−２１ｍで、１秒間にできる磁気の光子のエネルギーは５×１０７Ｊです。この大きな磁気の光子の引力によって電子のラブと陽子のラブは引き合って、水素ができた。水素が集まってクエーサーができた。
【符号の説明】
【０００８】１  宇宙の年齢
２  宇宙の年齢における電子のラブの公転軌道
３  宇宙の年齢において、電子のラブが１秒間に作る電気の光子と磁気の光子のエネルギー
４  電子密度の比
５  クエーサーの大きさ
６  銀河系の大きさ
７  １世代星
８  太陽
９  太陽圏
１０  銀河系の外側
１１  クエーサーの外側
１２  銀河系の中心
１３  クエーサーの中心
１４  できる（噴出する）電気の光子のエネルギーと磁気の光子のエネルギーの比
１５  星
１６  核融合反応ができる軌道
１７  中性子層
１８  中央の中性子
１９  中性子星
２０  パルサー
２１  ビッグバンの出発点
２２  電子のラブ
２３  陽子のラブ
２４  クエーサー
【図１】
2006081397.tif 000016
【図２】
2006081397.tif 000017
【図３】
2006081397.tif 000018
【図４】
2006081397.tif 000019
【図５】
2006081397.tif 000020